(57)【要約】【課題】放熱効率の低下を防止することができる照明装置を提供する。【解決手段】略円板状の伝熱板２２の天井面側の一面には、略矩形状の複数の放熱板２３が適宜の間隔をあけて平行に立設してある。放熱板２３の略中央部には放熱板２３同士を連結する連結板２１が放熱板２３と直交するように伝熱板２２に立設してある。連結板２１の一方の側面、または両側面には、形状記憶合金を用いた保持部材６の一端をネジ及びナットで連結板２１に固定してある。また、保持部材６の他端には、対向する放熱板２３の表面に当接させて摺動可能に清掃ブラシ７を固定してある。清掃ブラシ７は、略棒状であり、放熱板２３の高さ寸法とほぼ同程度の長さ寸法を有している。【選択図】図３
2010267595.tif 000002
【特許請求の範囲】
【請求項１】
任意の被清掃面を有する照明装置であって、
前記被清掃面に当接して配置された清掃ブラシと、
該清掃ブラシを保持し、周囲の温度変化により変形する保持部材と、
該保持部材の一部を固定する固定部と
を備えることを特徴とする照明装置。
【請求項２】
前記保持部材は、
形状記憶部材であることを特徴とする請求項１に記載の照明装置。
【請求項３】
放熱フィンを備え、
前記清掃ブラシは、
前記被清掃面としての前記放熱フィンの表面を摺動するように構成してあることを特徴とする請求項１又は請求項２に記載の照明装置。
【請求項４】
前記保持部材は、
前記固定部に固定された状態で伸縮するように構成してあることを特徴とする請求項１から請求項３までのいずれか１項に記載の照明装置。
【請求項５】
前記保持部材は、
前記固定部に固定された前記一部を中心にして回動するように構成してあることを特徴とする請求項１から請求項３までのいずれか１項に記載の照明装置。
【請求項６】
光源を備え、
前記保持部材は、
前記光源の点灯時と消灯時の温度変化により変形するように構成してあることを特徴とする請求項１から請求項５までのいずれか１項に記載の照明装置。
【発明の詳細な説明】
【技術分野】
【０００１】
本発明は、照明装置に関し、特に天井等に埋め込んで設置されるダウンライト等の照明装置に関する。
【背景技術】
【０００２】
従来、天井等に埋め込んで設置されるダウンライト等の照明装置は、天井面に設けられた取付穴に下側から挿入し、天井面と照明装置の発光面とがほぼ同一平面をなすようにして照明装置に設けられた固定金具等で天井に固定される。
【０００３】
例えば、ダウンライト等の照明装置は、複数のＬＥＤで構成される光源、装置本体、及び反射体などを具備する。装置本体は、ＬＥＤが発する熱を外部に放出する放熱部材を兼ねるため金属製であり、装置本体が天井裏に突出した態様で照明装置が天井の取付穴に取り付けられる（例えば、特許文献１参照）。
【先行技術文献】
【特許文献】
【０００４】
【特許文献１】特開２００９−６４６３７号公報
【発明の概要】
【発明が解決しようとする課題】
【０００５】
しかしながら、特許文献１に開示された照明装置にあっては、放熱部材を兼ねる装置本体が天井裏にあるため、装置本体に埃が溜まることにより放熱効率が低下するという問題があった。また、照明装置を取り外して装置本体に溜まった埃を除去することも考えられるが、照明装置の着脱作業に手間を要するという問題もあった。
【０００６】
本発明は斯かる事情に鑑みてなされたものであり、放熱効率の低下を防止することができる照明装置を提供することを目的とする。
【課題を解決するための手段】
【０００７】
本発明に係る照明装置は、任意の被清掃面を有する照明装置であって、前記被清掃面に当接して配置された清掃ブラシと、該清掃ブラシを保持し、周囲の温度変化により変形する保持部材と、該保持部材の一部を固定する固定部とを備えることを特徴とする。
【０００８】
本発明にあっては、任意の被清掃面に当接して配置された清掃ブラシと、清掃ブラシを保持し、周囲の温度変化により変形する保持部材と、保持部材の一部を固定する固定部とを備えている。周囲の温度変化に応じて保持部材が変形することにより清掃ブラシが被清掃面を摺動する。これにより、清掃ブラシが被清掃面を摺動するので、被清掃面に溜まった埃を除去することができる。被清掃面が放熱部材の表面である場合には、溜まった埃を除去することができるので、放熱効率の低下を防止することができる。
【０００９】
本発明に係る照明装置は、前記保持部材は、形状記憶部材であることを特徴とする。
【００１０】
本発明にあっては、保持部材は、形状記憶部材である。形状記憶部材は、例えば、形状記憶合金を用いた部材である。形状記憶合金は、変態点以上の温度に対しては、予め定められた元の形状に復帰する性質を有する。被清掃面の所要の範囲内で清掃ブラシが摺動するように保持部材の元の形状を定めておくことにより、簡便な構成で温度変化に応じて清掃ブラシが被清掃面を摺動するようにすることができる。
【００１１】
本発明に係る照明装置は、放熱フィンを備え、前記清掃ブラシは、前記被清掃面としての前記放熱フィンの表面を摺動するように構成してあることを特徴とする。
【００１２】
本発明にあっては、放熱フィンを備え、清掃ブラシは、被清掃面としての放熱フィンの表面を摺動する。これにより、放熱フィンの放熱効率の低下を防止することができる。
【００１３】
本発明に係る照明装置は、前記保持部材は、前記固定部に固定された状態で伸縮するように構成してあることを特徴とする。
【００１４】
本発明にあっては、保持部材は、固定部に固定された状態で伸縮するように構成してある。これにより、被清掃面の形状に応じて、清掃ブラシを被清掃面に対して平行移動させるように清掃ブラシ及び保持部材を固定することができ、取り付け構造の自由度を増加させることができる。
【００１５】
本発明に係る照明装置は、前記保持部材は、前記固定部に固定された前記一部を中心にして回動するように構成してあることを特徴とする。
【００１６】
本発明にあっては、保持部材は、固定部に固定された一部を中心にして回動するように構成してある。これにより、被清掃面の形状に応じて、清掃ブラシを被清掃面に対して回転移動させるように清掃ブラシ及び保持部材を固定することができ、取り付け構造の自由度を増加させることができる。
【００１７】
本発明に係る照明装置は、光源を備え、前記保持部材は、前記光源の点灯時と消灯時の温度変化により変形するように構成してあることを特徴とする。
【００１８】
本発明にあっては、保持部材は、光源の点灯時と消灯時の温度変化により変形するように構成してある。これにより、照明装置の使用状態（点灯状態と消灯状態）に応じて清掃ブラシが被清掃面を摺動するので、照明装置を使用しながら被清掃面に溜まった埃を除去することができ、放熱効率の低下を防止することができる。
【発明の効果】
【００１９】
本発明によれば、溜まった埃を除去することができるので、放熱効率の低下を防止することができる。
【図面の簡単な説明】
【００２０】
【図１】本発明の実施の形態１の照明装置の発光面側から見た外観斜視図である。
【図２】本発明の実施の形態１の照明装置の天井面側から見た外観斜視図である。
【図３】本発明の実施の形態１の照明装置の平面図である。
【図４】図３のＩＶ−ＩＶ矢視から見た側面図である。
【図５】図３のＶ−Ｖ矢視から見た側面図である。
【図６】保持部材が直線状に延びた場合の図３のＶ−Ｖ矢視から見た側面図である。
【図７】本発明の実施の形態２の照明装置の平面図である。
【図８】図７のＶＩＩＩ−ＶＩＩＩ矢視から見た側面図である。
【図９】保持部材が上端部を中心として回動した場合の図３のＶ−Ｖ矢視から見た側面図である。
【図１０】保持部材が上端部を中心として回動した場合の図３のＶ−Ｖ矢視から見た側面図である。
【図１１】本発明の実施の形態３の照明装置の平面図である。
【図１２】図１１のＸＩＩ−ＸＩＩ矢視から見た側面図である。
【図１３】保持部材が直線状に延びた場合の図１１のＸＩＩ−ＸＩＩ矢視から見た側面図である。
【発明を実施するための形態】
【００２１】
実施の形態１
以下、本発明をその実施の形態を示す図面に基づいて説明する。図１は本発明の実施の形態１の照明装置１０の発光面側から見た外観斜視図であり、図２は本発明の実施の形態１の照明装置１０の天井面側から見た外観斜視図である。図において、１０ａは照明装置本体である。照明装置本体１０ａは、アルミニウム等の金属製の放熱フィン２を備えている。
【００２２】
照明装置本体１０ａの発光面側には、同心円状のフレーム５を設けてある。フレーム５の内側には、光源としての複数のＬＥＤモジュール３を周方向に等間隔に配置してある。ＬＥＤモジュール３は、矩形のセラミック（例えば、酸化アルミニウム）基板と、該セラミック基板の一面の中央部に密集して実装された複数（例えば、３６個）のＬＥＤ素子と、該複数のＬＥＤ素子を封止し、蛍光体が分散された封止樹脂と、入力端子及び出力端子とを備えている。ＬＥＤモジュール３で発生する熱は、放熱フィン２を介して外部へ放熱される。なお、ＬＥＤモジュール３と放熱フィン２との間には、熱伝導シート又はグリースなどを介装することもできる。
【００２３】
また、照明装置本体１０ａの発光面側には、反射板４を設けてある。反射板４には、反射板４を放熱フィン２に取付けた状態で、ＬＥＤモジュール３に対応する位置に、ＬＥＤモジュール３を取り囲むように、略半球状の凹部が形成してある。反射板４は、ステンレス等の金属、反射率の高い塗料を塗布した金属又は高全反射率（約９８％）及び高拡散反射率（約９５％）という光学特性を有する超微細発泡光反射材（例えば、ＭＣＰＥＴ〔登録商標〕）により形成してある。
【００２４】
ＬＥＤモジュール３から発せられた光は、ＬＥＤモジュール３の光軸となす角度が所定角度以下になるように前述の凹部で反射され、照明装置１０の直下照度が強くなるように配光特性が制御されている。
【００２５】
また、照明装置本体１０ａには、周方向に沿って等間隔に配置された板ばね１が径方向に延設されている。板ばね１は、ステンレス鋼等の金属製であり、細長い矩形板を屈曲させて弾性を有し、図１又は図２に示すようにＶ字状に形成してある。板ばね１の一端には、矩形板状であって中央に貫通孔が形成された取付部１１を設けてある。板ばね１は、取付部１１を放熱フィン２に固定するようにしてある。なお、金属製の板ばね１を放熱フィン２に直接取付けているので、板ばね１自体が放熱部材として機能することができ、放熱をより効果的に行うことができる。また、板ばね１の他端には、Ｌ字状の曲部１２を形成してある。
【００２６】
照明装置１０を天井の取付穴に取り付ける場合、発光面を下側にして板ばね１を介して照明装置１０を取り付けることができる。天井の取付穴の径は、例えば、照明装置本体１０ａと取付孔の周面との間隔が略１０ｍｍになるようしてある。具体的には、板ばね１を照明装置本体１０ａの側に押し付けた状態にして、照明装置本体１０ａを天井の取付穴に下側から挿入する。この場合、曲部１２を天井の取付穴に通す。板ばね１から手を離して照明装置本体１０ａをさらに押し込むことにより、板ばね１自身の弾性により板ばね１が元の形状に復帰し、照明装置本体１０ａと取付穴の周面との間で板ばね１が固定されることにより、照明装置１０を天井に取り付けることができる。
【００２７】
図３は本発明の実施の形態１の照明装置１０の平面図であり、図４は図３のＩＶ−ＩＶ矢視から見た側面図であり、図５は図３のＶ−Ｖ矢視から見た側面図である。図３に示すように、放熱フィン２は、略円板状の伝熱板２２を有し、伝熱板２２には、前述のＬＥＤモジュール３を密着させて取り付けてある。伝熱板２２の天井面側の一面には、略矩形状の複数の放熱板２３が適宜の間隔をあけて平行に立設してある。放熱板２３の略中央部には放熱板２３同士を連結する連結板２１が放熱板２３と直交するように伝熱板２２に立設してある。なお、図３の例では、寸法の異なる放熱板２３を５個設ける構成であるが、放熱板２３の個数や配置はこれに限定されるものではない。
【００２８】
固定部としての連結板２１の一方の側面、または両側面には、形状記憶合金を用いた保持部材６の一端をネジ及びナット２１１で連結板２１に固定してある。また、保持部材６の他端には、対向する放熱板２３の表面に当接させて摺動可能に清掃ブラシ７を固定してある。清掃ブラシ７は、略棒状であり、放熱板２３の高さ寸法とほぼ同程度の長さ寸法を有している。
【００２９】
形状記憶合金は、例えば、チタンとニッケルの合金や、その他にも鉄、マンガン、ケイ素合金など、様々な素材を使用している。形状記憶合金は、使用する素材や組成を変更することにより任意の温度以上になった場合に予め設定した形状に変形する性質を持たせることができる。すなわち、形状記憶合金を用いた保持部材６は、変態点以上の温度に対しては、予め定められた元の形状に復帰する性質を有する。例えば、周囲温度が５０℃〜８０℃の範囲で保持部材６が所定長の範囲で伸縮するように設定し、被清掃面としての放熱板２３の表面の所要の範囲内で清掃ブラシ７が摺動するように保持部材６の元の形状を定めておくことにより、簡便な構成で温度変化に応じて清掃ブラシ７が被清掃面を摺動するようにすることができる。
【００３０】
図５は板状の保持部材６が蛇腹のような形状になり、長さ寸法が最短になるようにした状態を示す。例えば、光源が消灯しているときの周囲温度（例えば、５０℃）において保持部材６が図５に示すような形状に予め設定しておくことができる。
【００３１】
図６は保持部材６が直線状に延びた場合の図３のＶ−Ｖ矢視から見た側面図である。図６は板状の保持部材６が直線状に延びた形状になり、長さ寸法が最長になるようにした状態を示す。例えば、光源が点灯しているときの周囲温度（例えば、８０℃）において保持部材６が図６に示すような形状に予め設定しておくことができる。なお、周囲の温度が５０℃のときに保持部材６を図６のようになるように設定し、周囲の温度が８０℃のときに図５のようになるようにしてもよい。また、温度変化の範囲５０℃〜８０℃は、一例であって、これに限定されるものではない。また、図６の例においては、保持部材６が直線状に延びた状態に限定されるものではなく、例えば、図５の状態よりも保持部材６の長さ寸法が長ければ蛇腹状のままでもよい。
【００３２】
このように保持部材６の性質を定めておくことにより、保持部材６は、光源の点灯時と消灯時の温度変化により変形するように構成することができ、照明装置１０の使用状態（点灯状態と消灯状態）に応じて清掃ブラシ７が放熱板２３の表面（被清掃面）を摺動するので、照明装置１０を使用しながら放熱フィン２に溜まった埃を除去することができ、放熱効率の低下を防止することができる。
【００３３】
また、保持部材６は、固定部としての連結板２１に固定された状態で伸縮するように構成してあるので、放熱フィン２の形状等により、清掃ブラシ７を被清掃面に対して平行移動させなければならないような状況でも、清掃ブラシ７及び保持部材６を放熱フィン２の所要の位置に配置することができ、取り付け構造の自由度を増加させることができる。
【００３４】
上述のように、実施の形態１では、放熱板２３の表面に当接して配置された清掃ブラシ７と、清掃ブラシ７を保持し、周囲の温度変化により変形する保持部材６と、保持部材６の一部を固定する連結板２１とを備えている。周囲の温度変化に応じて保持部材６が変形することにより清掃ブラシ７が放熱板２３の表面を摺動する。これにより、放熱フィン２に溜まった埃を除去することができ、放熱効率の低下を防止することができる。
【００３５】
実施の形態２
図７は本発明の実施の形態２の照明装置１０の平面図であり、図８は図７のＶＩＩＩ−ＶＩＩＩ矢視から見た側面図である。実施の形態１では、保持部材６が周囲の温度変化に応じて伸縮し清掃ブラシ７が平行移動する構成であったが、実施の形態２では保持部材６が周囲の温度変化に応じて回動する構成である。
【００３６】
図７に示すように、放熱フィン２は、略円板状の伝熱板２２を有し、伝熱板２２には、前述のＬＥＤモジュール３を密着させて取り付けてある。伝熱板２２の天井面側の一面には、略矩形状の複数の放熱板２３が適宜の間隔をあけて平行に立設してある。放熱板２３の略中央部には放熱板２３同士を連結する連結板２１が放熱板２３と直交するように伝熱板２２に立設してある。
【００３７】
固定部としての連結板２１の一方の側面、または両側面には、形状記憶合金を用いた保持部材８を連結板２１の高さ方向に沿って立設してある。保持部材８の上端部８１は連結板２１に固定され、保持部材８は、周囲の温度変化に応じて、上端部８１を中心として周方向に回動することができる。
【００３８】
形状記憶合金を用いた保持部材８は、変態点以上の温度に対しては、予め定められた元の形状に復帰する性質を有する。例えば、周囲温度が５０℃〜８０℃の範囲で保持部材８が上端部を中心として回動するように設定し、被清掃面としての放熱板２３の表面の所要の範囲内で清掃ブラシ７が回動するように保持部材８の元の形状を定めておくことにより、簡便な構成で温度変化に応じて清掃ブラシ７が被清掃面を回動するようにすることができる。
【００３９】
図８は板状の保持部材８が連結板２１の高さ方向に沿って立設したような形状になった状態を示す。例えば、光源が消灯しているときの周囲温度（例えば、５０℃）において保持部材８が図８に示すような形状に予め設定しておくことができる。この場合、清掃ブラシ７も連結板２１に沿って立設した位置に置かれる。
【００４０】
図９及び図１０は保持部材８が上端部８１を中心として回動した場合の図３のＶ−Ｖ矢視から見た側面図である。図９は板状の保持部材８が上端部８１を中心に略４５度回動した状態を示す。例えば、光源が点灯しているときの周囲温度（例えば、６０℃）において保持部材８が図９に示すような形状に予め設定しておくことができる。
【００４１】
図１０は板状の保持部材８が上端部８１を中心に略１８０度回動した状態を示す。例えば、光源が点灯しているときの周囲温度（例えば、８０℃）において保持部材８が図１０に示すような形状に予め設定しておくことができる。なお、周囲の温度が５０℃のときに保持部材８を図１０のようになるように設定し、周囲の温度が８０℃のときに図８のようになるようにしてもよい。また、温度変化の範囲５０℃〜８０℃は、一例であって、これに限定されるものではない。
【００４２】
このように保持部材８の性質を定めておくことにより、保持部材８は、光源の点灯時と消灯時の温度変化により変形するように構成することができ、照明装置１０の使用状態（点灯状態と消灯状態）に応じて清掃ブラシ７が放熱板２３の表面（被清掃面）を回動するので、照明装置１０を使用しながら放熱フィン２に溜まった埃を除去することができ、放熱効率の低下を防止することができる。
【００４３】
また、保持部材８は、連結板２１に固定された上端部８１を中心にして回動するように構成してあるので、放熱フィン２の形状等により、清掃ブラシ７を被清掃面に対して回動移動させなければならないような状況でも、清掃ブラシ７及び保持部材６を放熱フィン２の所要の位置に配置することができ、取り付け構造の自由度を増加させることができる。
【００４４】
上述のように、実施の形態２では、放熱板２３の表面に当接して配置された清掃ブラシ７と、清掃ブラシ７を保持し、周囲の温度変化により変形する保持部材６と、保持部材６の一部を固定する連結板２１とを備えている。周囲の温度変化に応じて保持部材６が変形することにより清掃ブラシ７が放熱板２３の表面を回動（摺動）する。これにより、放熱フィン２に溜まった埃を除去することができ、放熱効率の低下を防止することができる。
【００４５】
実施の形態３
実施の形態１、２では、清掃ブラシ７で放熱フィン２の表面を清掃する構成であり、また照明装置１０は、円筒状のダウンライトであったが、被清掃面は放熱フィン２の表面に限定されるものではなく、照明装置本体の筐体などでもよい。特に、筐体が金属製であって、放熱部材を兼ねる場合には、本発明を適用することにより、放熱効率の低下を防止することができる。また、照明装置の形状は円筒状に限らず他の形状（例えば、直方体状）であってもよい。
【００４６】
図１１は本発明の実施の形態３の照明装置５０の平面図であり、図１２は図１１のＸＩＩ−ＸＩＩ矢視から見た側面図である。図１１及び図１２において５０ａは、照明装置本体であり、照明装置本体５０ａの発光面が天井面とほぼ同一の平面をなすように、照明装置本体５０ａを天井に設けられた取付穴に取り付けてある。照明装置本体５０ａの上面には、被清掃面としての天板５２を設けている。天板５２は、例えば、金属製であり、照明装置５０で生じる熱を外部へ放熱する機能を有する。
【００４７】
天板５２の中央部には、固定部としての板状の固定板５１を天板５２の一辺に平行に立設してある。固定板５１の中央部の両側面には、適長離隔して形状記憶合金を用いた保持部材５６の一端をネジ及びナットで固定板５１に固定してある。また、保持部材５６の他端には、長さが天板５２の一辺長に相当する清掃ブラシ５７を固定してある。清掃ブラシ５７は、略棒状であり、被清掃面としての天板５２に当接して摺動可能に配置してある。
【００４８】
形状記憶合金を用いた保持部材５６は、変態点以上の温度に対しては、予め定められた元の形状に復帰する性質を有する。例えば、周囲温度が５０℃〜８０℃の範囲で保持部材５６が所定長の範囲で伸縮するように設定し、被清掃面としての天板５２の表面の所要の範囲内で清掃ブラシ５７が摺動するように保持部材５６の元の形状を定めておくことにより、簡便な構成で温度変化に応じて清掃ブラシ５７が被清掃面を摺動するようにすることができる。
【００４９】
図１２は板状の保持部材５６が蛇腹のような形状になり、長さ寸法が最短になるようにした状態を示す。例えば、光源が消灯しているときの周囲温度（例えば、５０℃）において保持部材５６が図１２に示すような形状に予め設定しておくことができる。
【００５０】
図１３は保持部材５６が直線状に延びた場合の図１１のＸＩＩ−ＸＩＩ矢視から見た側面図である。図１３は板状の保持部材５６が直線状に延びた形状になり、長さ寸法が最長になるようにした状態を示す。例えば、光源が点灯しているときの周囲温度（例えば、８０℃）において保持部材５６が図１３に示すような形状に予め設定しておくことができる。なお、周囲の温度が５０℃のときに保持部材５６を図１３のようになるように設定し、周囲の温度が８０℃のときに図１２のようになるようにしてもよい。また、温度変化の範囲５０℃〜８０℃は、一例であって、これに限定されるものではない。
【００５１】
このように保持部材５６の性質を定めておくことにより、保持部材５６は、光源の点灯時と消灯時の温度変化により変形するように構成することができ、照明装置５０の使用状態（点灯状態と消灯状態）に応じて清掃ブラシ５７が天板５２の表面（被清掃面）を摺動するので、照明装置５０を使用しながら天板５２に溜まった埃を除去することができ、放熱効率の低下を防止することができる。
【００５２】
以上説明したように、本発明によれば、清掃ブラシが被清掃面を摺動するので、被清掃面に溜まった埃を除去することができる。被清掃面が放熱部材の表面である場合には、溜まった埃を除去することができるので、放熱効率の低下を防止することができる。
【００５３】
上述の実施の形態では光源としてＬＥＤモジュールを備える例で説明したが、光源はＬＥＤモジュールに限定されるものではなく、蛍光灯や白熱灯であってもよい。また、本発明は、照明装置だけに限定されるものではなく、発熱する電気部品などを筐体に収容する構造を備えるものであれば、他の電気機器、電子装置等にも適用することができる。
【符号の説明】
【００５４】
２  放熱フィン
３  ＬＥＤモジュール（光源）
６、８、５６  保持部材
７、５７  清掃ブラシ
２１  連結板（固定部）
２３  放熱板（被清掃面）
５１  固定板（固定部）
５２  天板（被清掃面）
【図１】
2010267595.tif 000003
【図２】
2010267595.tif 000004
【図３】
2010267595.tif 000005
【図４】
2010267595.tif 000006
【図５】
2010267595.tif 000007
【図６】
2010267595.tif 000008
【図７】
2010267595.tif 000009
【図８】
2010267595.tif 000010
【図９】
2010267595.tif 000011
【図１０】
2010267595.tif 000012
【図１１】
2010267595.tif 000013
【図１２】
2010267595.tif 000014
【図１３】
2010267595.tif 000015